【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
複写機、プリンタ又は給紙台より成る物品を載置する物品載置台と、該物品載置台上に配置された支柱ユニットとを具備し、前記支柱ユニットは、該支柱ユニットが前記物品載置台に対してほぼ垂直に立ち上がり、又は物品載置台面に向けて回動するように、該物品載置台に対して回動可能に支持されていると共に、前記立ち上がった位置にロックされ、又はそのロックを解除されるように構成され、かつ当該支柱ユニットには、前記物品載置台に載置された物品に掛けまわされて、該物品を保持するベルトが設けられている物品運搬保管装置。
【請求項２】
前記物品載置台に載置された物品に掛けまわされたベルト長さを調整するアジャスタを有する請求項１に記載の物品運搬保管装置。
【請求項３】
前記ベルトは、前記物品載置台に載置された物品の一側面を、前記立ち上がった位置にある支柱ユニットに当接させ、かつ該物品の前記一側面に対向する側面及び他の両側面に掛けまわされて、当該物品を保持する請求項１又は２に記載の物品運搬保管装置。
【手続補正２】
【補正対象書類名】明細書
【補正対象項目名】０００４
【補正方法】変更
【補正の内容】
【０００４】
本発明は、上記目的を達成するため、複写機、プリンタ又は給紙台より成る物品を載置する物品載置台と、該物品載置台上に配置された支柱ユニットとを具備し、前記支柱ユニットは、該支柱ユニットが前記物品載置台に対してほぼ垂直に立ち上がり、又は物品載置台面に向けて回動するように、該物品載置台に対して回動可能に支持されていると共に、前記立ち上がった位置にロックされ、又はそのロックを解除されるように構成され、かつ当該支柱ユニットには、前記物品載置台に載置された物品に掛けまわされて、該物品を保持するベルトが設けられている物品運搬保管装置を提案する（請求項１）。
【手続補正３】
【補正対象書類名】明細書
【補正対象項目名】０００６
【補正方法】変更
【補正の内容】
【０００６】
また、上記請求項１又は２に記載の物品運搬保管装置において、前記ベルトは、前記物品載置台に載置された物品の一側面を、前記立ち上がった位置にある支柱ユニットに当接させ、かつ該物品の前記一側面に対向する側面及び他の両側面に掛けまわされて、当該物品を保持するように構成されていると有利である（請求項３）。
【手続補正４】
【補正対象書類名】明細書
【補正対象項目名】００１８
【補正方法】変更
【補正の内容】
【００１８】
支柱ユニット３は、互いに間隔をあけて配置された２本の支柱６，１０６を有し、これらの支柱６，１０６は互いに一体的に連結されている。図示した例では、両支柱６，１０６が背板７によって連結されていると共に、可動フレーム８によって互いに連結されている。背板７は、例えば図示していないねじ、かしめピン又は溶接などによって両支柱６，１０６に固定されている。また支柱６，１０６は中空なパイプ材により構成され、その上部のパイプ穴に、ほぼ逆Ｕ字形に形成された可動フレーム８の各端部が嵌合している。その際、可動フレーム８は、支柱６，１０６に対して、その長手方向にスライド可能に嵌合し、図３に示す如く可動フレーム８を下方に移動させて支柱ユニット３の高さを低くし、或いは図１に示したように可動フレーム８を上方にスライドさせて支柱ユニット３の高さを高くすることができる。また、可動フレーム８には、貫通孔９，１０９と、これらの貫通孔よりも下方に位置する図示していない貫通孔が形成され、そのいずれかの貫通孔と各支柱６，１０６に形成された貫通孔を合致させ、これらの貫通孔に固定ピン１０，１１０を挿入することによって、可動フレーム８を支柱６，１０６に対して固定することができる。各固定ピン１０，１１０には抜け防止ピン１１，１１１が着脱自在に挿通され、この抜け防止ピン１１，１１１を固定ピン１０，１１０から抜き出すことにより、固定ピン１０，１１０を上記貫通孔から引き出し、次いで可動フレーム８をスライドさせることにより支柱ユニット３の高さを調節することができる。また固定ピン１０，１１０と抜け防止ピン１１，１１１には紐１２，１１２の各端部が取り付けられ、固定ピンと抜け防止ピンの紛失を防止することができる。
【手続補正５】
【補正対象書類名】明細書
【補正対象項目名】００１９
【補正方法】変更
【補正の内容】
【００１９】
一方、ユニット支持手段４は、図１に示すように、支柱ユニット３の支柱６，１０６が物品載置台２に対してほぼ垂直に立ち上がった状態に該支柱ユニット３を固定すると共に、両支柱ユニット３，１０３の間の物品載置台面１３に向けて支柱ユニット３が矢印Ｐ方向に回動することを許容するように、その支柱ユニット３を物品載置台２に対して支持する用をなす。より具体的に示すと、このユニット支持手段４は、物品載置台２に対して固定されている一対のブラケット１４，１１４を有し、その各ブラケット１４，１１４に、支柱ユニット３の２本の支柱６，１０６のそれぞれが支持ピン１５，１１５を介して回動可能に支持されていて、各支持ピン１５，１１５は各ブラケット１４，１１４と各支柱６，１０６の下部を貫通している。また、ユニット支持手段４は、図２に拡大して示すように、各ブラケット１４，１１４に形成された長穴１６，１１６を貫通して延びる可動棒１７を有し、その各長穴１６，１１６は上下に長く延びていて、可動棒１７は各長穴１６，１１６に沿って上下方向に移動可能となっている。このように可動棒１７は、一対のブラケット１４，１１４に上下動可能に組み付けられている。両ブラケット１４，１１４を一体に連結して、これらを１つのブラケットとして構成することもできる。また支持ピン１５，１１５と可動棒１７には付勢部材の一例である引張ばね１９の各端部が係止されている。図１及び図２には、ブラケット１１４の方に設けられた引張ばねについては図示されていないが、この引張ばねは、図示した引張ばね１９と同じく構成されている。これらの引張ばね１９によって可動棒１７は上方に向けて付勢され、図１及び図２に示すように、当該可動棒１７は各長穴１６，１１６の上端に圧接して最上位の位置を占めている。このとき可動棒１７は支持ピン１５，１１５よりも下方ではあるが、支柱６，１０６の下端よりも上方に位置し、かつ図１に示した他方の支柱ユニット３Ａを向いた側と反対側の支柱面に当接している。このため、支柱ユニット３が矢印Ｐ方向に回動することが禁止され、両支柱６，１０６が物品載置台面１３に対してほぼ垂直に立ち上がった状態に固定され、支柱ユニット３がその位置にロックされる。このように、ユニット支持手段４は、可動棒１７が支柱ユニット３の両支柱６，１０６に係合して該支柱ユニット３が物品載置台面１３に向けて回動することを禁止するように、該可動棒１７を上方に向けて付勢する付勢部材を有しているのである。
【手続補正６】
【補正対象書類名】明細書
【補正対象項目名】００２２
【補正方法】変更
【補正の内容】
【００２２】
ここで、物品載置台２から物品を降ろして図１に示した状態にした後、作業者が上記可動棒１７を足で踏むなどして、該可動棒１７を一対の引張ばね１９の作用に抗して下方に押下すると、その可動棒１７は支柱６，１０６の下端よりも下方に移動し、可動棒１７と支柱６，１０６との係合が解除され、支柱ユニット３に対するロックが解除される。そこで、必要に応じて可動フレーム８を図３に示すように下方に下げて支柱ユニット３の高さを低くしてから、支柱ユニット３を矢印Ｐ方向に押せば、支柱ユニット３の支柱６，１０６が支持ピン１５，１１５のまわりに矢印Ｐ方向に回動し、支柱ユニット３が折り畳まれる。このように、ユニット支持手段４は、付勢部材（図の例では引張ばね１９）の作用に抗して可動棒１７を下方に押下し該可動棒１７と両支柱６，１０６との係合を解除して支柱ユニット３が両支柱ユニット３，３Ａの間の物品載置台面１３へ向けて回動することを許容するように構成されている。
上述のように、支柱ユニット３は、その支柱ユニット３が物品載置台２に対してほぼ垂直に立ち上がり、又は物品載置台面１３に向けて回動するように、該物品載置台２に対して回動可能に支持されていると共に、立ち上がった位置にロックされ、又はそのロックを解除されるように構成されている。
【手続補正７】
【補正対象書類名】明細書
【補正対象項目名】００２９
【補正方法】変更
【補正の内容】
【００２９】
図４は物品載置台２上に複写機より成る１つの物品２０を載置したときの状態を示している。この物品２０のまわりに１本のベルト２１Ａを掛けまわし、アジャスタ２３Ａを操作してベルト２１Ａを締め付けることにより、そのベルト２１Ａによって物品２０を保持することができる。また図５はプリンタ本体より成る物品２０Ａと、そのプリンタの給紙台より成る物品２０Ｂとの２つの物品を物品載置台２上に載置した例を示しているが、この場合には、各背板７，７Ａにそれぞれ設けられたベルト２１，２１Ａを各物品２０Ａ、２０Ｂに掛けまわしてこれらのベルト２１，２１Ａにより各物品２０Ａ、２０Ｂを保持することができる。このように、支柱ユニットには、前記物品載置台に載置された物品に掛けまわされて、該物品を保持するベルトが設けられており、そのベルトは、物品載置台に載置された物品の一側面を、立ち上がった位置にある支柱ユニットに当接させ、かつ該物品の上記一側面に対向する側面及び他の両側面に掛けまわされて、当該物品を保持する用をなし、アジャスタは、物品載置台に載置された物品に掛けまわされたベルト長さを調整する用をなす。
【手続補正８】
【補正対象書類名】明細書
【補正対象項目名】００３６
【補正方法】変更
【補正の内容】
【００３６】
１，１Ａ，１Ｂ，１Ｃ，１Ｄ，１Ｅ，１Ｆ  物品運搬保管装置
２  物品載置台
３，３Ａ  支柱ユニット
１３  物品載置台面
２０，２０Ａ，２０Ｂ  物品
２１，２１Ａ  ベルト
２３，２３Ａ  アジャスタ